(57)【特許請求の範囲】
【請求項１】
天井裏に配設される本体部と、該本体部に対して着脱自在な給湿源と、該給湿源に設けられるストッパーと、前記本体部に形成されて前記給湿源が下から上へと挿入される給湿源挿入部と、該給湿源挿入部への前記給湿源の挿入により前記ストッパーによってロック位置から解除位置へと押し退けられるとともに前記ロック位置において前記ストッパーと係合するラッチと、該ラッチを前記解除位置へと操作するための操作部と、該操作部の操作に連動して前記ストッパーの上方への通過の邪魔にならない退避位置から前記ラッチの前記ロック位置の下方の受け止め位置へと進出するキャッチャーと、該キャッチャーを前記退避位置へ向けて常時付勢するとともに前記ラッチを前記ロック位置へ向けて常時付勢するばねと、を備える、天井埋込型加湿装置。
【請求項２】
前記ラッチと前記キャッチャーと前記操作部とを一体に有するスライダを備え、該スライダは非操作位置と操作位置との間を移動自在であり、前記スライダが前記非操作位置にあるときに、前記ラッチが前記ロック位置に、且つ、前記キャッチャーが前記退避位置にあり、前記スライダが前記操作位置にあるときに、前記ラッチが前記解除位置に、且つ、前記キャッチャーが前記受け止め位置にあり、前記ばねが前記スライダを前記非操作位置へ向けて常時付勢する、請求項１に記載の天井埋込型加湿装置。
【請求項３】
前記キャッチャーの先端部にストッパーの外れを防止するための上方への突部が形成されている、請求項１又は２に記載の天井埋込型加湿装置。
【請求項４】
本体部と、該本体部に対して着脱自在な着脱部材と、該着脱部材に設けられるストッパーと、前記本体部に形成されて前記着脱部材が下から上へと挿入される着脱部材挿入部と、該着脱部材挿入部への前記着脱部材の挿入により前記ストッパーによってロック位置から解除位置へと押し退けられるとともに前記ロック位置において前記ストッパーと係合するラッチと、該ラッチを前記解除位置へと操作するための操作部と、該操作部の操作に連動して前記ストッパーの上方への通過の邪魔にならない退避位置から前記ラッチの前記ロック位置の下方の受け止め位置へと進出するキャッチャーと、該キャッチャーを前記退避位置へ向けて常時付勢するとともに前記ラッチを前記ロック位置へ向けて常時付勢するばねと、を備える、着脱部材の着脱構造。
【発明の詳細な説明】
【技術分野】
【０００１】
本発明は、天井埋込型加湿装置に関するものである。
【背景技術】
【０００２】
ビル等において室内に湿度を供給するための天井埋込型加湿装置として、特許文献１に記載されているように、蒸気発生器によって蒸気を発生させ、この蒸気を送風機で室内に供給するものが知られている。また、同じく天井埋込型加湿装置として、特許文献２に記載されているように、気化ユニットによって水分を気化させ、水の微粒子を送風機で室内に供給するものも知られている。
【０００３】
ところで、給湿源となる蒸気発生器の水槽や気化ユニットは、スケール等の汚れを除去するために、例えば一ヶ月に一度等、定期的に天井裏の本体部から取り外して洗浄する必要がある。給湿源の取り付け作業と取り外し作業は、作業員が脚立等に乗って室内から天井裏の本体部内に手を差し入れて行う。このため、本体部に対する給湿源の取り付け及び取り外しを簡易迅速に行えることが好ましい。
【０００４】
そこで本願の出願人は、特許文献２により、給湿源としての気化ユニットの取り付け及び取り外しを容易化した加湿装置を提案している。すなわち、天井裏に固定される本体部と、この本体部に対して着脱自在な気化ユニットと、を備える天井埋込型加湿装置であって、気化ユニットの両側面にストッパーが配設され、各ストッパーに対応するラッチが本体部に配設され、気化ユニットを本体部に沿って上昇させることにより、各ストッパーが各ラッチと係合して気化ユニットが本体部に支持され、ストッパーとラッチとの係合が解除されることにより、気化ユニットが本体部から落下して取り出し可能となる加湿装置である。この構成により、本体部に対する気化ユニットの取り付け及び取り外しを簡易且つ迅速に行うことができる。
【０００５】
特許文献２に記載のものは、ストッパーとラッチとの係合が解除された時に本体部から落下する気化ユニットを受け止めるため、スライド板を備えている。このスライド板は、気化ユニットの下方に引き出し可能に配設されるとともに、ラッチと作動上連結される。そして、スライド板の引き出し操作に連動してストッパーとラッチの係合が解除され、気化ユニットがスライド板の上に落下する。ラッチとスライド板には自動復帰手段が設けられている。気化ユニットをスライド板から手で少し押し上げると、スライド板とラッチが元の位置に自動復帰し、本体部から気化ユニットの取り出しが可能となる。
【先行技術文献】
【特許文献】
【０００６】
【特許文献１】特開２００２−２６７２１５号公報
【特許文献２】特開２０１２−５７８９０号公報
【発明の概要】
【発明が解決しようとする課題】
【０００７】
特許文献２に記載のものは、気化ユニットがスライド板の上に落下して受け止められるようになっているので、スライド板の配設スペース及び水平方向への移動スペースを確保する必要があり、その分だけ本体部が大型化してしまう。天井埋込型加湿装置は天井裏に配設されるものであるため、天井裏が狭かったり天井裏に障害物があったりしても配設できるように、できるだけ本体部をコンパクトにすることが好ましい。
【０００８】
本発明は、前記のような事情に鑑みてなされたもので、本体部に対する給湿源の取り付け及び取り外しを簡易且つ迅速に行うことができ、本体部をできるだけコンパクトにし得る、天井埋込型加湿装置を提案しようとするものである。
【０００９】
本発明はまた、本体部に対する着脱部材の取り付け及び取り外しを簡易且つ迅速に行うことができ、本体部をできるだけコンパクトにし得る、着脱部材の着脱構造を提案しようとするものである。
【課題を解決するための手段】
【００１０】
前記課題を解決するため、本発明に係る天井埋込型加湿装置は、天井裏に配設される本体部と、該本体部に対して着脱自在な給湿源と、該給湿源に設けられるストッパーと、前記本体部に形成されて前記給湿源が下から上へと挿入される給湿源挿入部と、該給湿源挿入部への前記給湿源の挿入により前記ストッパーによってロック位置から解除位置へと押し退けられるとともに前記ロック位置において前記ストッパーと係合するラッチと、該ラッチを前記解除位置へと操作するための操作部と、該操作部の操作に連動して前記ストッパーの上方への通過の邪魔にならない退避位置から前記ラッチの前記ロック位置の下方の受け止め位置へと進出するキャッチャーと、該キャッチャーを前記退避位置へ向けて常時付勢するとともに前記ラッチを前記ロック位置へ向けて常時付勢するばねと、を備えることを特徴とする（請求項１）。
【００１１】
本発明において、給湿源とは、蒸気加湿器における水槽や、気化式加湿器における気化ユニット等、空気中に湿気を供給するための源となる要素をいう。
【００１２】
本発明によれば、前記本体部への前記給湿源の取り付け作業は、次のようにして行われる。すなわち、前記給湿源を前記給湿源挿入部に対して下から上へと挿入することで、前記ストッパーが上方へ移動する。このストッパーは、退避位置にあるキャッチャーの脇を通過した後、前記ラッチに当接して該ラッチをロック位置から解除位置へと押し退ける。前記ストッパーが前記ラッチを通過すると、前記ばねの作用で前記ラッチがロック位置へと復帰する。これにより、前記ラッチに対して前記ストッパーが係合し、前記給湿源が前記本体部に固定される。このように、前記給湿源を前記給湿源挿入部に対して下から上へと挿入するだけで、前記本体部への前記給湿源の取り付けが完了する。
【００１３】
また、本発明によれば、前記本体部からの前記給湿源の取り外し作業は、次のようにして行われる。すなわち、前記操作部により前記ラッチを解除位置へと操作することで、前記キャッチャーが退避位置から受け止め位置へと進出する。このため、前記ラッチから外れた前記ストッパーが前記キャッチャーによって受け止められる。次に、前記給湿源を押し上げることで、前記ストッパーと前記キャッチャーとの係合が外れて、前記ばねの作用で前記キャッチャーが退避位置へと復帰する。これにより、前記給湿源が前記給湿源挿入部から下方へと取り出し可能となる。このように、前記操作部の操作と前記給湿源の押し上げとを行うだけで、前記本体部からの前記給湿源の取り外しが完了する。
【００１４】
以上のように、本発明によれば、前記本体部に対する前記給湿源の取り付け及び取り外しを簡易且つ迅速に行うことができる。
【００１５】
また、本発明では、前記ストッパーと前記ラッチとの係合が外れた後に、前記ストッパーを前記キャッチャーで受け止めることによって、前記給湿源が支持される。ここで、前記キャッチャーは、前記ストッパーの上方への通過の邪魔にならない退避位置と、前記ラッチの前記ロック位置の下方の受け止め位置と、の間で移動できるように配設すればよい。このため、前記キャッチャーの配設スペースが少なくて済み、前記本体部のコンパクト化に貢献することができる。
【００１６】
好適な実施の一形態として、前記ラッチと前記キャッチャーと前記操作部とを一体に有するスライダを備え、該スライダは非操作位置と操作位置との間を移動自在であり、前記スライダが前記非操作位置にあるときに、前記ラッチが前記ロック位置に、且つ、前記キャッチャーが前記退避位置にあり、前記スライダが前記操作位置にあるときに、前記ラッチが前記解除位置に、且つ、前記キャッチャーが前記受け止め位置にあり、前記ばねが前記スライダを前記非操作位置へ向けて常時付勢する態様を例示する（請求項２）。
【００１７】
好適な実施の一形態として、前記キャッチャーの先端部にストッパーの外れを防止するための上方への突部を形成してある態様を例示する（請求項３）。
【００１８】
本発明に係る着脱部材の着脱構造は、本体部と、該本体部に対して着脱自在な着脱部材と、該着脱部材に設けられるストッパーと、前記本体部に形成されて前記着脱部材が下から上へと挿入される着脱部材挿入部と、該着脱部材挿入部への前記着脱部材の挿入により前記ストッパーによってロック位置から解除位置へと押し退けられるとともに前記ロック位置において前記ストッパーと係合するラッチと、該ラッチを前記解除位置へと操作するための操作部と、該操作部の操作に連動して前記ストッパーの上方への通過の邪魔にならない退避位置から前記ラッチの前記ロック位置の下方の受け止め位置へと進出するキャッチャーと、該キャッチャーを前記退避位置へ向けて常時付勢するとともに前記ラッチを前記ロック位置へ向けて常時付勢するばねと、を備えることを特徴とする（請求項４）。
【００１９】
前記着脱構造によれば、本体部に対する着脱部材の取り付け及び取り外しを簡易且つ迅速に行うことができる。加えて、キャッチャーの配設スペースが少なくて済み、本体部のコンパクト化にも貢献することができる。
【図面の簡単な説明】
【００２０】
【図１】本発明の実施の一形態に係る天井埋込型加湿装置の内部を開示した全体概略正面図である。
【図２】図１の加湿装置における本体部と給湿源との関係を示す斜視図である。
【図３】図１の加湿装置の要部（ラッチ、キャッチャー、操作部を一体に有するスライダとその周辺部）の斜視図である。
【図４】（ａ）は図３の正面図、（ｂ）は該正面図におけるＡ−Ａ矢視断面図、（ｃ）はスライダを操作位置へと操作した状態のＡ−Ａ矢視断面図である。
【図５】図１の加湿装置において、給湿源の取り付け過程におけるストッパーとラッチとキャッチャーの動作を示す説明図である。
【図６】図１の加湿装置において、給湿源の取り外し過程におけるストッパーとラッチとキャッチャーの動作を示す説明図である。
【発明を実施するための形態】
【００２１】
以下、添付図面を参照して、本発明の実施の一形態について説明する。
【００２２】
図１に示すように、本発明の実施の一形態に係る天井埋込型加湿装置１は、全体が吊りボルト２等を用いて天井３の裏に配設される。天井埋込型加湿装置１は、本体ケース４と、この本体ケース４の内部に支持される本体部５と、この本体部５に対して上下方向に着脱自在な給湿源６と、この給湿源６から供給される湿気を室内７に送り出す送風機８と、この送風機８や給湿源６を制御するための制御部９と、を備える。
【００２３】
本体ケース４の底面には、多数のスリット状の吸気口１０と、同じく多数のスリット状の送風出口１１と、本体部５に対する給湿源６の取り付け及び取り外し作業用の開閉パネル１２とが含まれている。また、本体ケース４内には、送風機８による送風の通路１３が画成されている。この送風通路１３には送風機８の送風口８ａが開口している。
【００２４】
本実施の形態では、給湿源として蒸気加湿器の水槽６を例示する。この水槽６内には、熱源として、例えば正の抵抗温度特性を有する磁器半導体発熱体（ＰＴＣヒータ）を含むヒータユニット１４が配設される。このヒータユニット１４から水槽６の外部に取り出される電線１５は、制御部９に対して接続及び取り外し自在である。
【００２５】
上部が開口した水槽６を本体部５に対して下から上へと差し入れることにより、本体部５から下向きに延びる給排水管１６が水槽６の内部に突入する。給排水管１６は図示しないポンプを含む給排水系を構成しており、この給排水系によって水槽６内に水を供給したり水槽６内の水を排水したりすることができる。本発明の要旨とは関係がないので図示は省略しているが、本体部５には水槽６内の水位を検知するセンサが設けられており、このセンサからの信号を受けて給排水系の作動が制御部９によって制御される。
【００２６】
図１に矢印で示すように、送風機８の作動によって室内７の空気が吸気口１０から本体ケース４内に吸い込まれ、送風通路１３を通って送風出口１１から室内７に戻される。同時に、水槽６内の水がヒータユニット１４で加熱されて蒸気が生成され、この蒸気が吸湿口１７から送風通路１３内へと供給される。これにより、送風機８の作動によって生ずる循環気流に乗って、水槽内の湿気が連続的に室内７へと供給される。
【００２７】
なお、給湿源の他の態様として、気化式加湿器の気化ユニット等を用いることもできる。
【００２８】
本発明の要部は、本体部５に対する給湿源６の着脱構造にある。図２に示すように、本体部５には、給湿源の一例としての水槽６が下から上へと挿入される水槽挿入部１８が形成される。この水槽挿入部１８には、直方体の水槽６がスライドさせながら挿入される。水槽挿入部１８は、水槽６の四つの側面の全てを覆う下向き開口箱型に形成することもできるが、図２の例では、水槽６の四つの側面の内、ヒータユニット１４に電力を供給するための電線１５の取り出し部１９を有する側面に対応する部分を開放し、水槽挿入部１８に対する水槽６の挿脱時に電線取り出し部１９が邪魔にならないように配慮している。水槽挿入部１８の最もシンプルな形態として、水槽６の四つの側面の交差部分を案内する四本のアングル材を用いる構成とすることもできる。
【００２９】
図２に示すように、水槽６にはストッパー２０が設けられる。このストッパー２０は、水槽６の側面に突出形成される。ストッパー２０に対応して、図３に示すように、水槽挿入部１８にラッチ２１が設けられる。ストッパー２０とラッチ２１が係合することで水槽挿入部１８に水槽６が支持され、ストッパー２０とラッチ２１との係合が解除されることで、水槽挿入部１８から水槽６が取り外し可能となる。ストッパー２０は、図２の例のように、水槽６の互いに逆向きの側面のそれぞれに設けるのが普通であるが、水槽挿入部１８と水槽６との間のクリアランスが小さい場合には、ストッパー２０の配設数を一つにすることもできる。ラッチ２１の配設数は、ストッパー２０の配設数と同じである。
【００３０】
ストッパー２０は水槽６の下部に配設し、これに対応させて、ラッチ２１は水槽挿入部１８の下部に配設するのが好ましい。ストッパー２０とラッチ２１の配設位置を低い位置とすることで、天井裏におけるストッパー２０とラッチ２１の係合解除操作を室内７側から少しでも行い易くなるからである。
【００３１】
図３及び図４に示すように、水槽挿入部１８の下部にはストッパー受入溝２２が形成される。このストッパー受入溝２２は上下方向に延びている。水槽挿入部１８に水槽６を下から上へと挿入すると、水槽６の側面に設けたストッパー２０がストッパー受入溝２２内を上方へと移動する。
【００３２】
水槽挿入部１８の下部の外面には水平方向に延びるスリーブ２３が設けられ、このスリーブ２３内にはスライダ２４が摺動自在に嵌装される。このスライダ２４は、ラッチ２１とキャッチャー２５と操作部２６とを一体に備える。スライダ２４は、端部にある操作部２６がスリーブ２３から水平方向に突出した非操作位置［図４（ａ）の位置］と、非操作位置からスリーブ２３内に一杯まで押し込まれた操作位置［図６（ａ）の位置］との間を移動自在であり、ばね２７によって非操作位置に向けて常時付勢される。
【００３３】
ばね２７は、図４に示すように、固定側ばね掛け片２８と移動側ばね掛け片２９との間に架設される。固定側ばね掛け片２８は、水槽挿入部１８の外面に突出形成され、移動側ばね掛け片２９は、スライダ２４の側面に突出形成される。スライダ２４には、スライダ２４の移動方向に延びるスリット３０が形成され、このスリット３０の一端３０ａが固定側ばね掛け片２８に当接することでスライダ２４が非操作位置に保持され［図４（ｂ）］、スリット３０の他端３０ｂが固定側ばね掛け片２８に当接することで、スライダ２４が操作位置に保持される［図４（ｃ）］。
【００３４】
ラッチ２１は、スライダ２４の非操作位置に対応するロック位置［図４（ａ）の位置］と、スライダの操作位置に対応する解除位置［図６（ａ）の位置］との間を移動可能である。ロック位置とは、ラッチ２１がストッパー受入溝２２内に突出した位置であり、解除位置とは、ラッチ２１がストッパー受入溝２２から横方向へと外れた位置である。ラッチ２１は、ばね２７によって、ロック位置に向けて常時付勢される。ラッチ２１は、下から上へ向けて斜めに延びる案内面２１ａと、この案内面２１ａと連続し且つ案内面２１ａの上方に位置する水平なロック面２１ｂと、を有する。案内面２１ａは、ストッパー２０がストッパー受入溝２２内を下から上へ移動するときにストッパー２０が摺接する面である。ロック面２１ｂは、ストッパー２０を載せて支える面である。
【００３５】
キャッチャー２５は、スライダ２４の非操作位置に対応する退避位置［図４（ａ）の位置］と、スライダ２４の操作位置に対応する受け止め位置［図６（ａ）の位置］との間を移動可能である。受け止め位置とは、キャッチャー２５がストッパー受入溝２２内に進出した位置であり、退避位置とは、キャッチャー２５がストッパー受入溝２２から横方向へ外れた位置である。キャッチャー２５は、ばね２７によって、退避位置に向けて常時付勢される。キャッチャー２５は、ラッチ２１よりも下方位置に配設される。キャッチャー２５は、スライダ２４を操作位置へと動かしてストッパー２０とラッチ２１との係合を解除したときに、ストッパー受入溝２２から横方向へ外れてしまうスライダ２１に替わってストッパー受入溝２２内へと進出する。これにより、ラッチ２１から落下するストッパー２０を一時的に受け止めて水槽６を仮保持する。
【００３６】
キャッチャー２５の先端部には、上方への突部として、折り曲げ部２５ａが形成される。この折り曲げ部２５ａは、ばね２７の作用で退避位置へ戻ろうとするキャッチャー２５からストッパー２０が外れることを防止する。
【００３７】
操作部２６は、スライダ２４を非操作位置から操作位置へと操作するための部分である。スライダ２４が非操作位置にあるとき、ラッチ２１はロック位置にあり、キャッチャー２５は退避位置にある。操作部２６を押してスライダ２４を非操作位置へと移動させると、ラッチ２１が解除位置へ移動するとともに、キャッチャー２５が受け止め位置へ移動する。操作部２６を解放すると、ばね２７によってスライダ２４が非操作位置へと自動的に復帰する。
【００３８】
図５を参照して、本体部５に対する水槽６の取り付け過程を説明する。
【００３９】
図５（ａ）は、スライダ２４が非操作位置にあるときの、ラッチ２１とキャッチャーの位置を示している。このとき、ラッチ２１がロック位置、キャッチャー２５が退避位置にある。作業員が本体部５の水槽挿入部１８に水槽６を下から上へと挿入すると、水槽挿入の最終段階において、水槽６の側面に設けたストッパー２０が水槽挿入部１８に設けたストッパー受入溝２２に入る。
【００４０】
作業員が水槽６をさらに上方へ押し上げると、図５（ｂ），（ｃ）に示すように、ストッパー受入溝２２内を上方へと移動するストッパー２０によってラッチ２１の案内面２１ａが押されて、ラッチ２１がロック位置から解除位置へ向けて押し退けられる。そして、ストッパー２０がラッチ２１を上方へ通過すると、図５（ｄ）に示すように、ばね２７によってラッチ２１がロック位置へと自動的に戻される。これにより、ラッチ２１のロック面２１ｂがストッパー２０の下に入るので、作業員が水槽６から手を離しても水槽６は落ちない。この状態が本体部５への水槽６の取り付け状態である。作業員はその後、ヒータユニット１４の電線１５を制御部９に接続する。
【００４１】
次に、図６を参照して、本体部５からの水槽６の取り外し過程を説明する。
【００４２】
水槽６の取り外しに先立って、まず、ヒータユニット１４の電線１５を制御部９から取り外す。次に、図５（ｄ）の取り付け状態から、作業員がスライダ２４の操作部２６を一杯まで押し込むと、図６（ａ）に示すようにスライダ２４が操作位置へと移動し、同時に、ラッチ２１が解除位置、キャッチャー２５が受け止め位置へと移動する。ラッチ２１の解除位置への移動によりストッパー２０とラッチ２１との係合が解除されるので、水槽６が自重によって落下し、ストッパー２０がストッパー受入溝２２内を下方へ移動する。このストッパー２０は受け止め位置にあるキャッチャー２５によって受け止められ、水槽６のそれ以上の落下が規制される。
【００４３】
作業員が操作部２６から手を離すと、ばね２７の作用でスライダ２４が非操作位置へと戻ろうとする。しかし、キャッチャー２５の先端部には外れ防止用の折り曲げ部２５ａが形成されているので、ストッパー２０がキャッチャー２５から外れてしまうことはない［図６（ｂ）参照］。
【００４４】
図６（ｂ）の状態から、作業員が水槽６を少しだけ押し上げると、キャッチャー２５の折り曲げ部２５ａがストッパー２０から外れて、図６（ｃ）に示すように、ばね２７の作用でスライダ２４が非操作位置へと自動的に復帰する。これによりキャッチャー２５が退避位置に退くので、ストッパー２０の下方への移動を規制するものが無くなり、作業員は水槽６を水槽挿入部１８から抜き取ることができる。
【００４５】
以上のように、本実施の形態によれば、水槽６を水槽挿入部１８に対して下から上へと挿入するだけで、本体部５への水槽６の取り付けが完了し、操作部２６の押圧操作と水槽６の押し上げとを行うだけで、本体部５からの水槽６の取り外しが完了する。よって、本体部５に対する水槽６の取り付け及び取り外しを簡易且つ迅速に行うことができる。
【００４６】
また、本実施の形態では、ストッパー２０とラッチ２１との係合が外れた後に、ストッパー２０をキャッチャー２５で受け止めることによって、水槽６が支持される。ここで、キャッチャー２５は、ストッパー受入溝２２内をストッパー２０が上方へ通過するのに邪魔にならない退避位置と、ラッチ２１のロック位置の下方の受け止め位置と、の間で移動できるように配設すればよい。このため、キャッチャー２５の配設スペースが少なくて済み、本体部５のコンパクト化に貢献することができる。
【００４７】
なお、前記構成において、水槽６を、本体部５に対して着脱自在な着脱部材６として本発明を一般化すると、次のような着脱部材の着脱構造が得られる。すなわち、本体部５と、該本体部５に対して着脱自在な着脱部材６と、該着脱部材６に設けられるストッパー２０と、前記本体部５に形成されて前記着脱部材６が下から上へと挿入される着脱部材挿入部１８と、該着脱部材挿入部１８への前記着脱部材６の挿入により前記ストッパー２０によってロック位置から解除位置へと押し退けられるとともに前記ロック位置において前記ストッパー２０と係合するラッチ２１と、該ラッチ２１を前記解除位置へと操作するための操作部２６と、該操作部２６の操作に連動して前記ストッパー２０の上方への通過の邪魔にならない退避位置から前記ラッチ２１の前記ロック位置の下方の受け止め位置へと進出するキャッチャー２５と、該キャッチャー２５を前記退避位置へ向けて常時付勢するとともに前記ラッチ２１を前記ロック位置へ向けて常時付勢するばね２７と、を備える、着脱部材の着脱構造である。
【００４８】
この着脱構造によれば、本体部５に対する着脱部材６の取り付け及び取り外しを簡易且つ迅速に行うことができる。加えて、キャッチャー２５の配設スペースが少なくて済み、本体部５のコンパクト化にも貢献することができる。
【符号の説明】
【００４９】
５    本体部
６    水槽（給湿源、着脱部材）
１８  水槽挿入部（給湿源挿入部、着脱部材挿入部）
２０  ストッパー
２１  ラッチ
２５  キャッチャー
２５ａ  ストッパー外れ防止用突部
２４  スライダ
２６  操作部
２７  ばね
【図１】
0006392064.tif 000002
【図２】
0006392064.tif 000003
【図３】
0006392064.tif 000004
【図４】
0006392064.tif 000005
【図５】
0006392064.tif 000006
【図６】
0006392064.tif 000007